【事件の表示】
　特許第３０２１４４６号「使い捨ておむつ」の請求項１に係る特許に対する特許異議の申立てについて、次のとおり決定する。
【結　論】
　訂正を認める。
　特許第３０２１４４６号の請求項１に係る特許を維持する。
【理　由】
１．手続の経緯
　実用新案出願（実願平５−１６７２１号）：平成５年４月５日
　上記出願の分割出願（実願平１０−３１０６号）：平成１０年５月８日
　実願平１０−３１０６号の変更出願（特願平１０−１５７５３２号）
　　　　　　：平成１０年６月５日
　特願平１０−１５７５３２号の分割出願
　　（本件出願：特願平１１−４１３３１号）
　　　　　　：平成１１年２月１９日
　特許権設定登録：平成１２年１月１４日
　特許異議申立て（申立人　三浦敬明、請求項１に対して）
　　　　　　：平成１２年９月１４日
　特許異議申立て（申立人　ユニ・チャーム株式会社、請求項１に対して）
　　　　　　：平成１２年９月１８日
　取消理由通知：平成１３年２月１９日
　訂正請求・意見書：平成１３年４月２７日
　
２．訂正の適否
　２−１．訂正の内容
　［訂正事項１］特許請求の範囲の請求項１中の「且つ該前後のウエスト部が左右それぞれ接合されたパンツ型の使い捨ておむつにおいて」を、「前後のウエスト部が両側縁部で縦方向に左右それぞれが接合されて接合部を形成し、該接合部によって縦方向に容易に引き裂くことができるようになっている該前後のウエスト部が左右それぞれ接合されたパンツ型の使い捨ておむつにおいて」と訂正。
　［訂正事項２］明細書の段落【０００７】中の「且つ該前後のウエスト部が左右それぞれ接合されたパンツ型の使い捨ておむつにおいて」を、「前後のウエスト部が両側縁部で縦方向に左右それぞれが接合されて接合部を形成し、該接合部によって縦方向に容易に切り裂くことができるようになっている該前後のウエスト部が左右それぞれ接合されたパンツ型の使い捨ておむつにおいて」と訂正。
　２−２．訂正の適否
　［訂正事項１］について
　訂正事項１は、発明を特定する事項である左右ウエスト部の「接合」をこれに含まれる事項である「前後のウエスト部が両側縁部で縦方向に左右それぞれが接合されて接合部を形成し、該接合部によって容易に切り裂くことができるようになっている」「接合」に限定しようとするものであるから、この訂正事項は特許請求の範囲の減縮を目的としている。また、訂正後の「前後のウエスト部が両側縁部で縦方向に左右それぞれが接合されて接合部を形成し、該接合部によって容易に切り裂くことができるようになっている該前後のウエスト部が左右それぞれ接合されたパンツ型の使い捨ておむつ」は明細書の段落【００１１】【００１２】に記載されているから、新規事項の追加に該当せず、また、実質的に特許請求の範囲を拡張又は変更するものではない。
　［訂正事項２］について
　訂正事項２は、訂正事項１による訂正に伴い、明細書中の課題を解決するための手段の欄を訂正するものであるから、不明瞭な記載の釈明を目的とするものである。訂正事項２は訂正事項１と同じ理由で新規事項の追加に該当せず、また、実質的に特許請求の範囲を拡張又は変更するものではない。
　２−３．むすび
　したがって、上記訂正は特許法第１２０条の４第３項で準用する同法第１２６条第１項ただし書および第２項の規定に適合するのでこの訂正を認める。
　
３．本件発明
　上記訂正が認められることから、請求項１に係る発明（以下、本件発明という。）は、訂正後の請求項１に記載された次のとおりのものである。
　「液透過性の表面シート、液不透過性の裏面シート及びこれら両シート間に介在する吸収体とを有し、前後のウエスト部が両側縁部で縦方向に左右それぞれが接合されて接合部を形成し、該接合部によって縦方向に容易に引裂くことができるようになっている該前後のウエスト部が左右それぞれ接合されたパンツ型の使い捨ておむつにおいて、上記裏面シートは、フィルムと不織布との複合材からなり、該裏面シートの表面が不織布で形成されるように配されており、上記裏面シートの表面のおむつの幅方向における中央区域に、粘着層を有する廃棄時止着用のテープファスナーが設けられており、上記粘着層を形成する粘着剤が、スチレン系ブロックポリマーを主剤とするものであり、上記テープファスナーは、上記使い捨ておむつの廃棄処理時に、該おむつを丸めて該テープファスナーの粘着層を上記裏面シートの不織布に止着させるようになっていることを特徴とする使い捨ておむつ。」
　
４．特許異議の申立ての概要
　これに対して、異議申立人三浦敬明及び異議申立人ユニ・チャーム株式会社は、本件特許は、その特許出願の日前の国際特許出願であって、その特許出願後に国際公開された国際公開９４／０９７３６号パンフレット（両異議申立人の甲第１号証。以下、先願という。）の明細書及び図面に記載された発明と同一であり、かつ、本件特許に係る発明者が先願に係る発明者と同一でなく、また、本件出願のときに本件特許の出願人が先願の出願人と同一でないから、特許法第２９条の２第２項の規定に該当し、特許を受けることができないと主張している。なお、甲第１号証以外の証拠は次のとおり。
　・三浦敬明
　甲第２号証：特表平８−５０７６９９号公報
　　（甲第１号証の翻訳文として）
　甲第３号証：ドイツ特許出願公開第４０３３８５０号公報
　　（先願明細書内（後記［記載６］）において引用された文献）
　参考資料１：特開平５−１１７６０７号公報
　　（甲第３号証の翻訳文として）
　・ユニ・チャーム株式会社
　甲第２号証：ドイツ特許出願公開第４０３３８５０号公報
　　（先願明細書内（後記［記載６］）において引用された文献）
　甲第３号証：特開平５−１１７６０７号公報
　　（甲第２号証の翻訳文として）
　甲第４号証：特開昭５８−１５６００２号公報
　　（感圧接着剤の技術水準を示す文献）
　
５．先願明細書及び図面に記載された事項
　国際公開された先願明細書及び図面には次の事項が記載されている。ただし、引用部分及び引用箇所は国際公開パンフレットの翻訳文である特表平８−５０７６９９号公報によるものである。
　［記載１］「本明細書で用いられる「はかせるタイプの使い捨ておむつ」という語は、一般に幼児または失禁症の大人に着用させる衣服で、パンツのようにはかせ、一回使用した後に捨てる（すなわち、洗濯などをして元に戻して再使用するものではない）ものをいう。図１は、本発明のおむつ１０を、着用者が着用したときの形で示す斜視図である。図１から分かるように、好ましいおむつ１０は、基本的に、吸収性のある胴体２０と伸縮性のあるパネル３０とからなり、またウエスト開口部１３と一対の足開口部１４を有する。胴体２０は三つの領域、すなわち、股の領域７、前ウエスト領域８，および後ウエスト領域９からなる。前ウエスト領域と領ウエスト後域は、胴体２０の縦方向に沿って、股の領域から反対方向に伸びている。おむつ１０を前と後ろに向かって（図１において矢印で示した方向）引き下げると、おむつは図２Ａに示す平らな状態となる。」（第１４頁第７〜１８行）
　［記載２］「おむつ１０は、液体透過性の表面シート２４、液体非透過性の裏面シート２６、およびこの表面シート２４と裏面シート２６との間に挟まれた吸収芯２８からなる吸収性のある胴体２０、および伸縮性のあるパネル３０からなるのが好ましい。・・・・胴体２０の表面シート側が内側の面、すなわち着用者に面する面を形成し、また胴体２０の裏面シート側が、外側の面、すなわち衣服に面する面を形成する。すなわち、内側の面はおむつを使用する際に着用者に向けられるおむつ１０の部分からなり、また外側の面は着用者の着衣に向けられるおむつ１０の部分からなる。」（第１５頁第１〜９行）
　［記載３］「裏面シート２６は液体（例えば、尿）非透過性であり、薄いプラスチックフィルムから製造するのが好ましい。しかし、その他の柔軟性のある液体非透過性材料を用いることもできる。・・・・裏面シート２６は、織材料、不織材料、ポリエチレンやポリプロピレンのような熱可塑性フィルムのようなポリマーフィルム、またはフィルムをコートした不織材料のような複合材料を含むことができる。」（第２０頁第２０〜２８行）
　［記載４］「使い捨ておむつの着衣に面する面の外観および肌触りを改良するために、任意に外部裏張りシートを、裏面シートの着衣に面する面と重ね合わせるか、またはその面に取り付けることができる。このような外部裏張りシート用の材料は、例えば、表面シート用の材料として後に記載するような肌に優しい材料、および孔を有するかエンボス加工したフィルムを含むことができる。」（第２１頁第２７行〜第２２頁第４行）
　［記載５］「適当な表面シートは広範な材料、例えば、多孔性気泡体、網状気泡体、有孔プラスチックフィルム、あるいは天然繊維（例えば、木材または綿の繊維）、合成繊維（例えば、ポリエステルまたはポリプロピレン繊維）、または天然繊維と合成繊維とを組み合わせたものの織布または不織布から製造することができる。表面シート２４を製造するのに用いるこのとのできる技術には数多くのものがある。例えば、表面シート２４は、不織繊維、漉いた繊維、湿式で縒った繊維、溶融吹き込みした繊維、水を絡ませた繊維、あるいはこれらを組み合わせた繊維の不織布等であってもよい。」（第２２頁第１９行〜第２２頁第２９行）
　［記載６］「Ｚ字に折り曲げられたこのテープタブ７０を使用するためには、使用者が、テープタブの第三セクション７３の８２の部分を引き上げて広げる。これにより第三セクション７３が第二セクション７２から引き剥がされ、それにより第二セクション７２が折り目７８で広げられて第一セクション７１から引き剥がされ、それにより折り目７６で折り曲げられていた第一セクションが広げられる。この後、第一セクション７１、第二セクション７２、および第三セクション７３のそれぞれの接着手段７５、７７、及び７９，を広げられたテープタブ７０と、巻き上げられたおむつの胴体２０の外側の着衣に面する表面とを留め付けるのに用いることができる。類似の接着テープタブは、１９９０年１０月２４日に出願されたドイツ特許出願第Ｐ４０３３８５０．９号（スリーＭ社、ミネアポリス、ＭＮ）に開示されている。これは、参考として本明細書の開示の一部とするものである。」（第３７頁第２２行〜第３８頁第５行）
　
６．対比・判断
　そこで、本件発明と先願明細書及び図面に記載された事項とを対比すると、両者は廃棄時止着用のテープファスナーが設けられた使い捨ておむつである点で概ね一致しているものの次の点で相違している。
　［相違点］
　本件発明では「前後のウエスト部が両側縁部で縦方向に左右それぞれが接合されて接合部を形成し、該接合部によって縦方向に容易に引裂くことができるようになっている該前後のウエスト部が左右それぞれ接合」されているのに対し、先願明細書及び図面には、前後のウエスト部が斜め方向にパネルを介して左右それぞれが接合されているものが記載されているのみであり、前後のウエスト部が両側縁部で縦方向に左右それぞれが接合されることは記載されておらず、しかもその接合部を縦方向に容易に引裂くことができるようになっていることも記載されていない点。
　上記相違点に係る構成については、上記各記載事項及び先願明細書及び図面の他の部分にも記載されていない。また、異議申立人の他の証拠にも記載されていない。
　したがって、先願明細書及び図面には本件発明が記載されていると認めることはできず、本件発明が特許法第２９条の２第２項の規定により特許を受けることのできないものということはできない。
　
７．むすび
　以上のとおりであるから、特許異議申立ての理由及び証拠によっては、本件発明に係る特許を取り消すことはできない。
　また、他に本件発明に係る特許を取り消すべき理由を発見しない。
　よって、結論のとおり決定する。
【異議決定日】
平成１３年５月１１日（２００１．５．１１）
【訂正の要旨】
［１］特許請求の範囲の減縮を目的として、特許請求の範囲の請求項１中の「且つ該前後のウエスト部が左右それぞれ接合されたパンツ型の使い捨ておむつにおいて」を、「前後のウエスト部が両側縁部で縦方向に左右それぞれが接合されて接合部を形成し、該接合部によって縦方向に容易に引き裂くことができるようになっている該前後のウエスト部が左右それぞれ接合されたパンツ型の使い捨ておむつにおいて」と訂正。
［２］明りょうでない記載の釈明を目的として、明細書の段落【０００７】中の「且つ該前後のウエスト部が左右それぞれ接合されたパンツ型の使い捨ておむつにおいて」を、「前後のウエスト部が両側縁部で縦方向に左右それぞれが接合されて接合部を形成し、該接合部によって縦方向に容易に切り裂くことができるようになっている該前後のウエスト部が左右それぞれ接合されたパンツ型の使い捨ておむつにおいて」と訂正。
（５４）【発明の名称】
使い捨ておむつ
（５７）【特許請求の範囲】
　【請求項１】　液透過性の表面シート、液不透過性の裏面シート及びこれら両シート間に介在する吸収体とを有し、
前後のウエスト部が両側縁部で縦方向に左右それぞれが接合されて接合部を形成し、該接合部によって縦方向に容易に引き裂くことができるようになっている
【発明の詳細な説明】
　【０００１】
　【産業上の利用分野】
　本発明は、幼児用のおむつ、トレーニングパンツ、大人用、あるいは失禁者用として用いられるパンツ型の使い捨ておむつに関する。
　【０００２】
　【従来の技術及び発明が解決しようとする課題】
　従来の使い捨ておむつは、着用者にフラットな本体をあてた後、テープファスナーにて着用者に止めるいわゆるフラット型の使い捨ておむつが殆どであった。かかるフラット型のおむつでは、使用後の廃棄処理の時には、排泄物を内側に包むようにおむつを丸めた後、該おむつをテープファスナーにて止めて廃棄していた。
　【０００３】
　これに対して、近年、テープファスナーを用いずに、予めサイド部を接合固定した、いわゆるパンツ型おむつが開発されている。このようなパンツ型おむつとして、例えば、ウエスト部とレッグ部とにギャザーを設けたものをはじめ種々の技術が提案されている（特開昭５８−１１５１０６号公報、特開昭５８−１１５１０７号公報、特開昭６２−２３１００５号公報等）。そして、これらのパンツ型おむつは、全て通常の下着と同様に立位で着用し、幼児は勿論のこと高月齢児のトイレットトレーニング用として、あるいは失禁者用、成人用として使用することを意図したものである。
　【０００４】
　しかしながら、これらのパンツ型おむつは、使用後の廃棄処理の際におむつを丸めても、テープファスナーがないため、丸めた状態で止めることができず、廃棄処理がしにくいと共に、流動性の高い軟便や下痢便等の排泄物が露出してしまうことがあり、廃棄処理時の衛生面においても問題があった。
　【０００５】
　また、特開昭６２−６９８０４号公報及び特開平３−１７６０５１号公報等には、おむつのウエスト部両側にテープファスナーを設け、該テープファスナーをウエスト調整用及び廃棄時止着用に用いる技術が提案されているが、かかるテープファスナーは、幼児あるいは装着介護者が装着中にはずしやすい位置にあるため、誤ってはずしておむつがずり落ちたりする不都合がある。さらに、かかるテープファスナーを設けたおむつは、外観上パンツらしさを失うという問題があった。
　【０００６】
　従って、本発明の目的は、廃棄処理が容易にでき且つ廃棄処理時の衛生面を充分に満足することができるとともに、着用中に外観を損なわないパンツ型の使い捨ておむつを提供することにある。
　【０００７】
　【課題を解決するための手段】
　本発明は、液透過性の表面シート、液不透過性の裏面シート及びこれら両シート間に介在する吸収体とを有し、
前後のウエスト部が両側縁部で縦方向に左右それぞれが接合されて接合部を形成し、該接合部によって縦方向に容易に引き裂くことができるようになっている
　【０００８】
　【作用】
　本発明の使い捨ておむつは、その使用後、おむつを長手方向に巻くようにして丸められ、テープファスナーにより固定されて廃棄される。従って、使い捨ておむつは、その廃棄処理が容易で、しかも、排泄物を、丸めたおむつ内に閉じ込めて裏面シートで覆うことができるので、衛生的に処理することができる。
　【０００９】
　【実施例】
　以下、本発明の使い捨ておむつを添付図面を参照して更に詳細に説明する。図１（Ａ）は、本発明の使い捨ておむつの１実施例におけるおむつの表側（腹側）を示す斜視図であり、図１（Ｂ）は、その裏側（背側）を示す斜視図であり、図２は、図１に示す使い捨ておむつの展開図である。また、図３（Ａ）は、図１に示す使い捨ておむつにおけるテープファスナーの拡大斜視図であり、図３（Ｂ）は、その剥離させる態様を示す拡大斜視図である。
　【００１０】
　本実施例の使い捨ておむつ１は、図１（Ａ）及び（Ｂ）に示すように、液透過性の表面シート２、液不透過性の裏面シート３及びこれら両シート間に介在する吸収体４とを有し、且つ該前後のウエスト部５Ａ，５Ｂが左右それぞれ接合されたパンツ型の使い捨ておむつである。そして、上記裏面シート３の表面のおむつの幅方向における中央区域に、廃棄時止着用のテープファスナー１０を設けてある。
　【００１１】
　更に詳細に説明すると、本実施例の使い捨ておむつ１は、図１及び図２に示すように、吸収体４が股下領域が織れた砂時計状に湾曲形成され、表面シート２及び裏面シート３も吸収体４の形状に即して股下領域が上述の如く湾曲形成されており、該吸収体４は、表面シート２及び裏面シート３により挟持・固定されている。また、上記吸収体４の周縁部における前後のウエスト部５Ａ，５Ｂとレッグ部６とには、おむつを着用した際に、着用者にウエスト部５Ａ，５Ｂとレッグ部６とをフィットさせるための弾性伸縮部材７が表面シート２と裏面シート３とにより固定されて設けられている。また、上記前のウエスト部５Ａと後のウエスト部５Ｂとは、図１（Ａ）及び（Ｂ）に示すように、左右それぞれが接合されて接合部８を形成しており、これによりパンツ状の形状をなしている。
　【００１２】
　上記接合部８は、縦方向に容易に引き裂くことができるようになっていることが好ましく、これにより着用者の肌を汚すことなく、接合部において使い捨ておむつを容易に引き裂くことができ、使い捨ておむつを簡単に脱いで廃棄することができる。上記接合部８は、例えば、ホットメルト型の粘着剤により、あるいは超音波による接合が可能な素材を用いる等して、上記前のウエスト部５Ａと後のウエスト部５Ｂとをそれぞれの左右で接合し、形成することができ、接合後においても、感触が柔軟であることが好ましい。
　【００１３】
　上記表面シート２としては、排泄物を吸収体へ透過させる液透過性シートで肌着に近い感触を有したものが好ましく、このような液透過性シートとしては、例えば、織布、不織布、多孔性フィルム等が好ましく挙げられる。また、表面シート２の周縁にシリコン系油剤、パラフィンワックス等の疎水性化合物を塗布する方法や、予めアルキルリン酸エステルのような親水性化合物を全体に塗布し、周縁を温水で洗浄する方法により、接水処理を施し、周縁における尿等の滲みによる漏れを防止することができる。
　【００１４】
　また、上記吸収体４としては、解繊パルプを主材とした高分子吸水ポリマーを併用したものが好ましく、また熱可塑性樹脂、セルロース繊維、高分子吸水ポリマーの混合物に熱処理したものが好ましい。該高分子吸水ポリマーは、上記吸収体４の上層、中層、下層のいずれに存在させてもよく、また、パルプと混合したものであってもよい。また、該高分子吸水ポリマーは自重の２０倍以上の液体を吸収して保持し得る保持性能を有し、ゲル化する性質を有する粒子状のものが好ましく、このような高分子吸水ポリマーとしては、例えば、デンプン−アクリル酸（塩）グラフト共重合体、デンプン−アクリロニトリル共重合体のケン化物、ナトリウムカルボキシメチルセルロースの架橋物、アクリル酸（塩）重合体などが好ましく挙げられる。
　【００１５】
　また、上記弾性伸縮部材７は、糸ゴム、平ゴム、フィルムタイプのゴムあるいはフィルム状の発泡ポリウレタン等が好ましく挙げられ、１５０％伸長時の応力が７０〜１００グラムであるものが好ましく、また、弾性伸縮部材は伸縮性と通気性を有する不織布タイプのものが好ましい。
　【００１６】
　而して、本実施例の使い捨ておむつ１は、図１（Ｂ）に示すように、上記裏面シート３は、フィルムと不織布との複合材からなり、上記裏面シート３の表面のおむつの幅方向における中央区域に、おむつの長手方向に沿って廃棄時止着用のテープファスナー１０が設けられている。ここで、上記「幅方向」とは、図１（Ｂ）、図２などに示すように、着用時における左右方向を意味し、「長手方向」とは、着用時における上下方向を意味する。
　【００１７】
　また、上記裏面シート３を構成する上記フィルムは、熱可塑性樹脂にフィラーを加えて延伸した、蒸気を透過させる透湿性のある液不透過性シートが好ましく用いられる。また、上記不織布としては、通常使い捨ておむつなどに用いられるものであれば特に制限なく用いることができる。このような積層材からなる上記裏面シートは、肌着に近い感触を有したものであり、使用に際しては、外面（裏面シートの表面）が不織布で形成されるように配して使用する。
　【００１８】
　本実施例における上記テープファスナー１０について詳述すると、上記テープファスナー１０は、図３（Ａ）に示すように、上記裏面シート３に接合固定される固定部１１と、おむつ廃棄時におむつを丸めて止着するための止着部１２とからなり、該固定部１１及び止着部１２は、それぞれ台紙１３，１３’と該台紙１３，１３’の一面に粘着剤が塗着され形成された粘着層１４、１４’とからなっており、粘着層１４’と当接する台紙１３の表面には剥離処理が施されている。そして、上記テープファスナー１０は、おむつの廃棄処理時に、該おむつを丸めて該テープファスナー１０の粘着層１４’を上記裏面シート３の不織布に止着させるようになっている。
　【００１９】
　上記固定部１１は、その一端が上記台紙１３側に折り曲げられ、また、上記粘着部１２は、その一端が上記粘着層１４’側に折り曲げられている。そして、上記固定部１１における折り曲げられた部分の粘着層１４と上記止着部１２における粘着層１４’とが当接されて、固定部１１及び止着部１２とが固定されており、また、上記止着部１２の粘着層１４’と上記固定部１１の台紙１３における剥離処理が施された面とは、粘着・剥離自在に当接されている。また、上記止着部１２の上記端部は、上記止着部１２の他端部の台紙１３上に当接されてつまみ１５を形成しており、図３（Ｂ）に示すように、該つまみ１５を矢印方向に引き上げることにより、止着部１２を固定部１１から剥離させることができるようになしてある。
　【００２０】
　上記台紙１３，１３’を形成する材料としては、フィルム、紙、不織布あるいはこれらの複合材等を好ましく用いることができる。また、上記止着部１２の上記台紙１３’は、上記裏面シート３と同じ素材で形成されていることが特に好ましく、これにより、上記テープファスナー１０の外面がおむつの外面と同様のものとなり、テープファスナーが目立たずに外観上優れたおむつとなる。この場合には、上記固定部１１の台紙１３と上記止着部１２の台紙１３’とを異なる材料で形成することもできる。
　【００２１】
　上記粘着層１４，１４’を形成する粘着剤は、スチレン系ブロックポリマーを主剤とするものであり、例えば、スチレン−エチレン−ブチレン−スチレンブロック共重合体（ＳＥＢＳ）、スチレン−イソプレン−スチレンブロック共重合体（ＳＩＳ）、スチレン−ブタジエン−スチレン共重合体（ＳＢＳ）等のスチレン系ブロックポリマーを主剤とする粘着剤が挙げられる。また、上記剥離処理は、常法に従って施してある。
　【００２２】
　そして、上記テープファスナー１０を使い捨ておむつ１に接合固定するには、上記テープファスナー１０の固定部１１の粘着層１４を、上記裏面シート３の表面の前記中央区域に図１（Ｂ）に示す向きに貼着することにより、接合固定することができる。
　【００２３】
　また、本発明におけるテープファスナーの他の例としては、例えば、図４〜図６に示す構成のテープファスナーを挙げることができる。ここで、図４〜図６は、本発明の使い捨ておむつにおけるテープファスナーの他の例を示す拡大斜視図である。尚、図４〜図６に示すテープファスナーは、特に説明しない点については、上記テープファスナー１０と同様に形成されている。
　【００２４】
　図４に示すテープファスナー１０Ａは、粘着剤を塗着しない部分を止着部１２Ａに設けることにより、つまみ１５Ａを形成したものである。図５に示すテープファスナー１０Ｂは、止着部１２Ｂの一端に他の部材を貼着することにより、つまみ１５Ｂを形成したものである。図６に示すテープファスナー１０Ｃは、一体の台紙１３Ｃを折り曲げて固定部１１Ｃを止着部１２Ｃとが形成されており、該止着部１２Ｃの端部に粘着剤を塗着しない部分を設けてつまみ１５Ｃを形成したものである。
　【００２５】
　【００２６】
　また、本発明の使い捨ておむつの他の例としては、図７に示すおむつ等が挙げられる。ここで、図７（Ａ）は、本発明の使い捨ておむつの他の実施例における表側を示す斜視図であり、図７（Ｂ）は、その裏側を示す斜視図である。図７（Ａ）及び（Ｂ）に示す使い捨ておむつ２０は、テープファスナー３０が、おむつ２０の股下部（股下領域）に設けられている。このように、おむつ２０の股下領域にテープファスナー３０を設けることにより、股下部のくびれのためにテープファスナーが隠れるので、より外観を向上させることができ、テープファスナーを有しない従来の使い捨ておむつと同等の外観とすることができる。また、本発明の使い捨ておむつにおいては、図７（Ｂ）に点線で示す如く、テープファスナー３０’をおむつのウエスト部またはその近傍に設けることもでき、これにより、テープファスナーの長さを最小とすることができる。
　【００２７】
　本実施例の使い捨ておむつ１は、上述の如く構成されているので、図８（Ａ）及び（Ｂ）を参照して下記に詳述するように使用後における廃棄性に優れるものである。ここで、図８（Ａ）は、おむつを廃棄処理する際において、おむつを丸める態様を示す概略斜視図であり、図８（Ｂ）は、丸めたおむつをテープファスナーで止着する態様を示す概略斜視図である。上記使い捨ておむつ１は、この種のパンツ型使い捨ておむつと同様に用いられる。そして、使用後においては、図８（Ａ）に示すように、おむつをその長手方向に丸めて、上記テープファスナー１０の止着部１２を固定部１１から剥離させた後、図８（Ｂ）に示すように、上記止着部１２の粘着層１４’を上記前後のウエスト部５Ａ，５Ｂに止着させる等して、おむつを丸めた状態を固定することにより、おむつを容易且つ衛生的に廃棄することができる。尚、図８（Ａ）及び（Ｂ）においては、おむつを股下部から丸める廃棄方法について示したが、本発明の使い捨ておむつは、この他に種々の方法による廃棄処理が可能であり、例えば、おむつのウエスト部から丸めておむつの股下部をテープファスナーにより止着する等、任意の廃棄処理の操作が実施可能である。
　【００２８】
　【発明の効果】
　本発明の使い捨ておむつは、廃棄処理が容易にでき且つ廃棄処理時の衛生面を充分に満足することができるとともに、着用中に外観を損なわないものである。従って、本発明の使い捨ておむつは、その使用後、丸めて内部を封塞して、テープファスナーによって止着することにより、そのまま排泄物を包み込んで廃棄することができるものである。
【図面の簡単な説明】
　【図１】　図１（Ａ）は、本発明の使い捨ておむつの１実施例におけるおむつの表側（腹側）を示す斜視図であり、図１（Ｂ）は、その裏側（背側）を示す斜視図である。
　【図２】　図２は、図１に示す使い捨ておむつの展開図である。
　【図３】　図３（Ａ）は、図１に示す使い捨ておむつにおけるテープファスナーの拡大斜視図であり、図３（Ｂ）は、その剥離させる態様を示す拡大斜視図である。
　【図４】　図４は、本発明の使い捨ておむつにおけるテープファスナーの他の例を示す拡大斜視図である。
　【図５】　図５は、本発明の使い捨ておむつにおけるテープファスナーの他の例を示す拡大斜視図である。
　【図６】　図６は、本発明の使い捨ておむつにおけるテープファスナーの他の例を示す拡大斜視図である。
　【図７】　図７（Ａ）は、本発明の使い捨ておむつの他の実施例におけるおむつの表側を示す斜視図であり、図７（Ｂ）は、その裏側を示す斜視図である。
　【図８】　図８（Ａ）は、おむつを廃棄処理する際において、おむつを丸める態様を示す概略斜視図であり、図８（Ｂ）は、丸めたおむつをテープファスナーで止着する態様を示す概略斜視図である。
　【符号の説明】
　１　使い捨ておむつ
　２　表面シート
　３　裏面シート
　４　吸収体
　５Ａ　前のウエスト部
　５Ｂ　後のウエスト部
　６　レッグ部
　７　弾性伸縮部材
　８　接合部
１０　テープファスナー
１１　固定部
１２　止着部
１３　台紙
１４　粘着部
１５　つまみ